(57)【特許請求の範囲】
【請求項１】
無線基地局と運用保守サーバとを具備しており、対象移動局に所望無線品質を測定させて報告させることができるように構成されている移動通信システムであって、
前記対象移動局と前記無線基地局との間で終端するＲＲＣプロトコルが用いられており、
前記無線基地局と前記運用保守サーバとの間で終端する運用保守プロトコルが用いられており、
前記無線基地局において、前記ＲＲＣプロトコルと前記運用保守プロトコルとが変換されるように構成されており、
前記対象移動局及び前記無線基地局における前記ＲＲＣプロトコルを処理する機能は、該対象移動局が、ＲＲＣ_Ｉｄｌｅ状態に遷移した場合であっても、該対象移動局において適用されている前記所望無線品質の測定及び報告方法を削除しないように構成されており、
前記対象移動局における前記ＲＲＣプロトコルを処理する機能は、前記所望無線品質の測定及び報告方法によって指定されている項目と前記所望無線品質の測定結果とを関連付けて報告するように構成されており、
前記無線基地局における前記ＲＲＣプロトコルを処理する機能は、前記対象移動局のコンテキスト情報を削除してしまっている場合であっても、前記関連付けに基づいて、前記報告を処理するように構成されていることを特徴とする移動通信システム。
【請求項２】
無線基地局と運用保守サーバとを具備しており、対象移動局に所望無線品質を測定させて報告させることができるように構成されている移動通信システムであって、
前記対象移動局と前記無線基地局との間で終端するＲＲＣプロトコルが用いられており、
前記ＲＲＣプロトコルの上位レイヤプロトコルとして、前記対象移動局と前記無線基地局との間で終端する測定報告プロトコルが用いられており、
前記無線基地局と前記運用保守サーバとの間で終端する運用保守プロトコルが用いられており、
前記無線基地局において、前記ＲＲＣプロトコル及び前記測定報告プロトコルと前記運用保守プロトコルとが変換されるように構成されており、
前記対象移動局及び前記無線基地局における前記測定報告プロトコルを処理する機能は、該対象移動局が、ＲＲＣ_Ｉｄｌｅ状態に遷移した場合であっても、該対象移動局において適用されている前記所望無線品質の測定及び報告方法を削除しないように構成されおり、
前記対象移動局における前記測定報告プロトコルを処理する機能は、前記所望無線品質の測定及び報告方法によって指定されている項目と前記所望無線品質の測定結果とを関連付けて報告するように構成されており、
前記無線基地局における前記測定報告プロトコルを処理する機能は、前記対象移動局のコンテキスト情報を削除してしまっている場合であっても、前記関連付けに基づいて、前記報告を処理するように構成されていることを特徴とする移動通信システム。
【請求項３】
無線基地局と交換局と運用保守サーバとを具備しており、対象移動局に所望無線品質を測定させて報告させることができるように構成されている移動通信システムであって、
前記対象移動局と前記無線基地局との間で終端するＲＲＣプロトコルが用いられており、
前記無線基地局と前記交換局との間で終端するＳ１インターフェイスプロトコルが用いられており、
前記交換局と前記運用保守サーバとの間で終端する運用保守プロトコルが用いられており、
前記無線基地局において、前記ＲＲＣプロトコルと前記Ｓ１インターフェイスプロトコルとが変換されるように構成されており、
前記交換局において、前記Ｓ１インターフェイスプロトコルと前記運用保守プロトコルが変換されるように構成されており、
前記対象移動局及び前記無線基地局における前記ＲＲＣプロトコルを処理する機能は、該対象移動局が、ＲＲＣ_Ｉｄｌｅ状態に遷移した場合であっても、該対象移動局において適用されている前記所望無線品質の測定及び報告方法を削除しないように構成されており、
前記対象移動局における前記ＲＲＣプロトコルを処理する機能は、前記所望無線品質の測定及び報告方法によって指定されている項目と前記所望無線品質の測定結果とを関連付けて報告するように構成されており、
前記無線基地局における前記ＲＲＣプロトコルを処理する機能は、前記対象移動局のコンテキスト情報を削除してしまっている場合であっても、前記関連付けに基づいて、前記報告を処理するように構成されていることを特徴とする移動通信システム。
【請求項４】
無線基地局と交換局と運用保守サーバとを具備しており、対象移動局に所望無線品質を測定させて報告させることができるように構成されている移動通信システムであって、
前記対象移動局と前記無線基地局との間で終端するＲＲＣプロトコルが用いられており、
前記ＲＲＣプロトコルの上位レイヤプロトコルとして、前記対象移動局と前記無線基地局との間で終端する測定報告プロトコルが用いられており、
前記無線基地局と前記交換局との間で終端するＳ１インターフェイスプロトコルが用いられており、
前記交換局と前記運用保守サーバとの間で終端する運用保守プロトコルが用いられており、
前記無線基地局において、前記ＲＲＣプロトコル及び前記測定報告プロトコルと前記Ｓ１インターフェイスプロトコルとが変換されるように構成されており、
前記交換局において、前記Ｓ１インターフェイスプロトコルと前記運用保守プロトコルとが変換されるように構成されており、
前記対象移動局及び前記無線基地局における前記測定報告プロトコルを処理する機能は、該対象移動局が、ＲＲＣ_Ｉｄｌｅ状態に遷移した場合であっても、該対象移動局において適用されている前記所望無線品質の測定及び報告方法を削除しないように構成されており、
前記対象移動局における前記測定報告プロトコルを処理する機能は、前記所望無線品質の測定及び報告方法によって指定されている項目と前記所望無線品質の測定結果とを関連付けて報告するように構成されており、
前記無線基地局における前記測定報告プロトコルを処理する機能は、前記対象移動局のコンテキスト情報を削除してしまっている場合であっても、前記関連付けに基づいて、前記報告を処理するように構成されていることを特徴とする移動通信システム。
【発明の詳細な説明】
【技術分野】
【０００１】
本発明は、移動通信システムに関する。
【背景技術】
【０００２】
従来の移動通信システムでは、通信事業者が、無線品質の改善を行うために、「Ｄｒｉｖｅ  Ｔｅｓｔ」を行うことによって、各エリアにおける無線品質の測定及び調査を行っていた。
【先行技術文献】
【非特許文献】
【０００３】
【非特許文献１】３ＧＰＰ  ＴＲ３６.８０５、「Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  （Ｅ-ＵＴＲＡ）；  Ｓｔｕｄｙ  ｏｎ  ｍｉｎｉｍｉｚａｔｉｏｎ  ｏｆ  ｄｒｉｖｅ-ｔｅｓｔｓ  ｉｎ  ｎｅｘｔ  ｇｅｎｅｒａｔｉｏｎ  ｎｅｔｗｏｒｋｓ」
【非特許文献２】３ＧＰＰ  ＴＳ３７.３２０、「Ｒａｄｉｏ  ｍｅａｓｕｒｅｍｅｎｔ  ｃｏｌｌｅｃｔｉｏｎ  ｆｏｒ  ＭＤＴ」
【発明の概要】
【発明が解決しようとする課題】
【０００４】
しかしながら、「Ｄｒｉｖｅ  Ｔｅｓｔ」では、通信事業者は、全てのエリアにおいて無線品質の測定及び調査を行い、問題となるエリアを見つけ、かかる無線品質の測定及び調査結果に基づいて、無線品質の改善を行う必要があり、高いコストが掛かるという問題点があった。
【０００５】
かかる問題点を解決するために、３ＧＰＰでは、対象移動局ＵＥに所望無線品質を測定させて報告させる「ＭＤＴ（Ｍｉｎｉｍｉｓａｔｉｏｎ  ｏｆ  Ｄｒｉｖｅ  Ｔｅｓｔｓ）」という手法が議論されている。
【０００６】
ここで、３ＧＰＰでは、かかる「ＭＤＴ」を実現するためのプロトコルスタックについて未だ議論されていない。
【０００７】
そこで、本発明は、上述の課題に鑑みてなされたものであり、対象移動局ＵＥに所望無線品質を測定させて報告させることができるプロトコルスタックを有する移動通信システムを提供することを目的とする。
【課題を解決するための手段】
【０００８】
本発明の第１の特徴は、無線基地局と運用保守サーバとを具備しており、対象移動局に所望無線品質を測定させて報告させることができるように構成されている移動通信システムであって、前記対象移動局と前記無線基地局との間で終端するＲＲＣプロトコルが用いられており、前記無線基地局と前記運用保守サーバとの間で終端する運用保守プロトコルが用いられており、前記無線基地局において、前記ＲＲＣプロトコルと前記運用保守プロトコルとが変換されるように構成されており、前記対象移動局及び前記無線基地局における前記ＲＲＣプロトコルを処理する機能は、該対象移動局が、ＲＲＣ_Ｉｄｌｅ状態に遷
移した場合であっても、該対象移動局において適用されている前記所望無線品質の測定及び報告方法を削除しないように構成されており、前記対象移動局における前記ＲＲＣプロトコルを処理する機能は、前記所望無線品質の測定及び報告方法によって指定されている項目と前記所望無線品質の測定結果とを関連付けて報告するように構成されており、前記無線基地局における前記ＲＲＣプロトコルを処理する機能は、前記対象移動局のコンテキスト情報を削除してしまっている場合であっても、前記関連付けに基づいて、前記報告を処理するように構成されていることを要旨とする。
【０００９】
本発明の第２の特徴は、無線基地局と運用保守サーバとを具備しており、対象移動局に所望無線品質を測定させて報告させることができるように構成されている移動通信システムであって、前記対象移動局と前記無線基地局との間で終端するＲＲＣプロトコルが用いられており、前記ＲＲＣプロトコルの上位レイヤプロトコルとして、前記対象移動局と前記無線基地局との間で終端する測定報告プロトコルが用いられており、前記無線基地局と前記運用保守サーバとの間で終端する運用保守プロトコルが用いられており、前記無線基地局において、前記ＲＲＣプロトコル及び前記測定報告プロトコルと前記運用保守プロトコルとが変換されるように構成されており、前記対象移動局及び前記無線基地局における前記測定報告プロトコルを処理する機能は、該対象移動局が、ＲＲＣ_Ｉｄｌｅ状態に遷移した場合であっても、該対象移動局において適用されている前記所望無線品質の測定及び報告方法を削除しないように構成されており、前記対象移動局における前記測定報告プロトコルを処理する機能は、前記所望無線品質の測定及び報告方法によって指定されている項目と前記所望無線品質の測定結果とを関連付けて報告するように構成されており、前記無線基地局における前記測定報告プロトコルを処理する機能は、前記対象移動局のコンテキスト情報を削除してしまっている場合であっても、前記関連付けに基づいて、前記報告を処理するように構成されていることを要旨とする。
【００１０】
本発明の第３の特徴は、無線基地局と運用保守サーバとを具備しており、対象移動局に所望無線品質を測定させて報告させることができるように構成されている移動通信システムであって、前記対象移動局と前記無線基地局との間で終端するＲＲＣプロトコルが用いられており、前記無線基地局と前記運用保守サーバとの間で終端する運用保守プロトコルが用いられており、前記ＲＲＣプロトコル及び前記運用保守プロトコルの上位レイヤプロトコルとして、前記対象移動局と前記運用保守サーバとの間で終端する測定報告プロトコルが用いられており、前記無線基地局において、前記ＲＲＣプロトコルと前記運用保守プロトコルとが変換されるように構成されており、前記対象移動局及び前記運用保守サーバにおける前記測定報告プロトコルを処理する機能は、該対象移動局が、ＲＲＣ_Ｉｄｌｅ状態に遷移した場合であっても、該対象移動局において適用されている前記所望無線品質の測定及び報告方法を削除しないように構成されており、前記対象移動局における前記ＲＲＣプロトコルを処理する機能は、前記所望無線品質の測定及び報告方法によって指定されている項目と前記所望無線品質の測定結果とを関連付けて報告するように構成されており、前記無線基地局における前記ＲＲＣプロトコルを処理する機能は、前記対象移動局のコンテキスト情報を削除してしまっている場合であっても、前記関連付けに基づいて、前記報告を処理するように構成されていることを要旨とする。
【００１１】
本発明の第４の特徴は、無線基地局と交換局と運用保守サーバとを具備しており、対象移動局に所望無線品質を測定させて報告させることができるように構成されている移動通信システムであって、前記対象移動局と前記無線基地局との間で終端するＲＲＣプロトコルが用いられており、前記無線基地局と前記交換局との間で終端するＳ１インターフェイスプロトコルが用いられており、前記交換局と前記運用保守サーバとの間で終端する運用保守プロトコルが用いられており、前記無線基地局において、前記ＲＲＣプロトコルと前記Ｓ１インターフェイスプロトコルとが変換されるように構成されており、前記交換局に
おいて、前記Ｓ１インターフェイスプロトコルと前記運用保守プロトコルが変換されるように構成されており、前記対象移動局及び前記無線基地局における前記ＲＲＣプロトコルを処理する機能は、該対象移動局が、ＲＲＣ_Ｉｄｌｅ状態に遷移した場合であっても、該対象移動局において適用されている前記所望無線品質の測定及び報告方法を削除しないように構成されており、前記対象移動局における前記測定報告プロトコルを処理する機能は、前記所望無線品質の測定及び報告方法によって指定されている項目と前記所望無線品質の測定結果とを関連付けて報告するように構成されており、前記無線基地局における前記測定報告プロトコルを処理する機能は、前記対象移動局のコンテキスト情報を削除してしまっている場合であっても、前記関連付けに基づいて、前記報告を処理するように構成されていることを要旨とする。
【００１３】
本発明の第６の特徴は、無線基地局と交換局と運用保守サーバとを具備しており、対象移動局に所望無線品質を測定させて報告させることができるように構成されている移動通信システムであって、前記対象移動局と前記無線基地局との間で終端するＲＲＣプロトコルが用いられており、前記無線基地局と前記交換局との間で終端するＳ１インターフェイスプロトコルが用いられており、前記交換局と前記運用保守サーバとの間で終端する運用保守プロトコルが用いられており、前記ＲＲＣプロトコル及び前記運用保守プロトコルの上位レイヤプロトコルとして、前記対象移動局と前記運用保守サーバとの間で終端する測定報告プロトコルが用いられており、前記無線基地局において、前記ＲＲＣプロトコルと前記運用保守プロトコルとが変換されるように構成されており、前記対象移動局及び前記運用保守サーバにおける前記測定報告プロトコルを処理する機能は、該対象移動局が、ＲＲＣ_Ｉｄｌｅ状態に遷移した場合であっても、該対象移動局において適用されている前記所望無線品質の測定及び報告方法を削除しないように構成されていることを要旨とする。
【発明の効果】
【００１４】
以上説明したように、本発明によれば、対象移動局ＵＥに所望無線品質を測定させて報告させることができるプロトコルスタックを有する移動通信システムを提供することができる。
【図面の簡単な説明】
【００１５】
【図１】本発明の第１の実施形態に係る移動通信システムの全体構成図である。
【図２】本発明の第１の実施形態に係る移動通信システムにおけるプロトコルスタック図である。
【図３】本発明の第２の実施形態に係る移動通信システムにおけるプロトコルスタック図である。
【図４】本発明の第３の実施形態に係る移動通信システムにおけるプロトコルスタック図である。
【図５】本発明の第４の実施形態に係る移動通信システムにおけるプロトコルスタック図である。
【図６】本発明の第５の実施形態に係る移動通信システムにおけるプロトコルスタック図である。
【図７】本発明の第６の実施形態に係る移動通信システムにおけるプロトコルスタック図である。
【発明を実施するための形態】
【００１６】
（本発明の第１の実施形態に係る移動通信システム）
図１及び図２を参照して、本発明の第１の実施形態に係る移動通信システムの構成について説明する。
【００１７】
図１に示すように、本実施形態に係る移動通信システムは、運用保守サーバＯＡＭ（Ｏｐｅｒａｔｉｏｎ  Ａｎｄ  Ｍａｉｎｔｅｎａｎｃｅ）と、交換局ＭＭＥ（Ｍｏｂｉｌｉｔｙ  Ｍａｎａｇｅｍｅｎｔ  Ｅｎｔｉｔｙ）と、無線基地局ｅＮＢとを具備している。
【００１８】
本実施形態に係る移動通信システムは、対象移動局ＵＥに所望無線品質を測定させて報告させる「ＭＤＴ」を行うことができるように構成されている。本実施形態に係る移動通信システムで行うことが可能な「ＭＤＴ」には、「Ｉｍｍｅｄｉａｔｅ  ＭＤＴ」及び「Ｌｏｇｇｅｄ  ＭＤＴ」の２種類が想定されている。
【００１９】
ここで、「Ｉｍｍｅｄｉａｔｅ  ＭＤＴ」は、ＲＲＣ_Ｃｏｎｎｅｃｔｅｄ状態（Ａｃｔｉｖｅ状態）の対象移動局ＵＥに所望無線品質を測定させて報告させる「ＭＤＴ」である。３ＧＰＰでは、既存の「Ｍｅａｓｕｒｅｍｅｎｔ」の規定を拡張することによって「Ｉｍｍｅｄｉａｔｅ  ＭＤＴ」の規定を決めることが検討されている。
【００２０】
例えば、「Ｉｍｍｅｄｉａｔｅ  ＭＤＴ」では、ＲＲＣ_Ｃｏｎｎｅｃｔｅｄ状態の対象移動局ＵＥは、「Ｒｅｐｏｒｔｉｎｇ  Ｃｏｎｆｉｇｕｒａｔｉｏｎ（ＥｖｅｎｔやＰｅｒｉｏｄ等）」によって既定された報告条件が満たされた場合に、所望無線品質の測定結果を報告するように構成されていてもよい。
【００２１】
一方、「Ｌｏｇｇｅｄ  ＭＤＴ」は、ＲＲＣ_Ｉｄｌｅ状態の対象移動局ＵＥに所望無線品質を測定させて報告させる「ＭＤＴ」である。
【００２２】
例えば、「Ｌｏｇｇｅｄ  ＭＤＴ」では、ＲＲＣ_Ｉｄｌｅ状態の対象移動局ＵＥは、所望無線品質の測定結果を記憶しておき、ＲＲＣ_Ｃｏｎｎｅｃｔｅｄ状態に遷移する際に、かかる測定結果を報告するように構成されていてもよい。
【００２３】
図２を参照して、本実施形態に係る移動通信システムにおけるプロトコルスタックについて説明する。
【００２４】
図２に示すように、対象移動局ＵＥと無線基地局ｅＮＢとの間では、物理（ＰＨＹ）レイヤプロトコルとＭＡＣ（Ｍｅｄｉａ  Ａｃｃｅｓｓ  Ｃｏｎｔｒｏｌ）プロトコルとＲＬＣ（Ｒａｄｉｏ  Ｌｉｎｋ  Ｃｏｎｔｒｏｌ）プロトコルとＰＤＣＰ（Ｐａｃｋｅｔ  Ｄａｔａ  Ｃｏｎｖｅｒｇｅｎｃｅ  Ｐｒｏｔｏｃｏｌ）とＲＲＣプロトコル（Ｒａｄｉｏ  Ｒｅｓｏｕｒｃｅ  Ｃｏｎｔｒｏｌ）とが終端するように構成されている。
【００２５】
また、無線基地局ｅＮＢと運用保守サーバＯＡＭとの間では、ＮＷ  ＴＮＬ（Ｔｒａｎｓｐｏｒｔ  Ｎｅｔｗｏｒｋ  Ｌａｙｅｒ）プロトコルとＯＡＭプロトコルとが終端するように構成されている。
【００２６】
ここで、移動局ＵＥは、物理レイヤプロトコルを処理する機能と、ＭＡＣプロトコルを処理する機能と、ＲＬＣプロトコルを処理する機能と、ＰＤＣＰを処理する機能と、ＲＲＣプロトコルを処理する機能とを具備している。
【００２７】
無線基地局ｅＮＢは、移動局ＵＥ側に、物理レイヤプロトコルを処理する機能と、ＭＡＣプロトコルを処理する機能と、ＲＬＣプロトコルを処理する機能と、ＰＤＣＰを処理する機能と、ＲＲＣプロトコルを処理する機能とを具備している。
【００２８】
また、無線基地局ｅＮＢは、運用保守サーバＯＡＭ側に、ＮＷ  ＴＮＬプロトコルを処理する機能と、ＯＡＭプロトコルを処理する機能とを具備している。
【００２９】
運用保守サーバＯＡＭは、ＮＷ  ＴＮＬプロトコルを処理する機能と、ＯＡＭプロトコルを処理する機能とを具備している。
【００３０】
なお、無線基地局ｅＮＢにおいて、ＲＲＣプロトコルとＯＡＭプロトコルとが変換されるように構成されている。
【００３１】
また、対象移動局ＵＥ及び無線基地局ｅＮＢにおけるＲＲＣプロトコルを処理する機能は、「Ｌｏｇｇｅｄ  ＭＤＴ」を行うように指示されている対象移動局ＵＥが、ＲＲＣ_Ｉｄｌｅ状態に遷移した場合であっても、対象移動局ＵＥにおいて適用されている「ＭＤＴ  ｐｏｌｉｃｙ」を含む「ＵＥ  Ｃｏｎｔｅｘｔ」を削除しないように構成されている。
【００３２】
ここで、無線基地局ｅＮＢにおけるＲＲＣプロトコルを処理する機能は、「Ｌｏｇｇｅｄ  ＭＤＴ」を行うように指示されている対象移動局ＵＥが、ＲＲＣ＿Ｉｄｌｅ状態に遷移した後、かかる対象移動局ＵＥに適用されている「ＭＤＴ  ｐｏｌｉｃｙ」を含む「ＵＥ  Ｃｏｎｔｅｘｔ」を削除してしまっている場合であっても、ＲＲＣ＿Ｃｏｎｎｅｃｔｅｄ状態の対象移動局ＵＥから報告された「Ｌｏｇｇｅｄ  ＭＤＴ」に係る測定報告を正しく処理することができるように構成されてもよい。
【００３３】
具体的に、移動局ＵＥにおけるＲＲＣプロトコルを処理する機能は、「Ｌｏｇｇｅｄ  ＭＤＴ」に係る測定報告に、「ＭＤＴ  Ｐｏｌｉｃｙ」で指定されている測定すべき項目（Ｍｅａｓｕｒｅｍｅｎｔ  Ｏｂｊｅｃｔ）や報告すべき項目（Ｒｅｐｏｒｔｉｎｇ  Ｃｏｎｆｉｇｕｒａｔｉｏｎ）等を全て含めて送信するように構成されている。
【００３４】
本実施形態に係る移動通信システムによれば、対象移動局ＵＥと無線基地局ｅＮＢとの間に新しいプロトコルを規定することなく「ＭＤＴ」を実現することができる。
【００３５】
（本発明の第２の実施形態に係る移動通信システム）
図３を参照して、本発明の第２の実施形態に係る移動通信システムの構成について説明する。以下、本実施形態に係る移動通信システムについて、上述の第１の実施形態に係る移動通信システムとの相違点に着目して説明する。
【００３６】
図３を参照して、本実施形態に係る移動通信システムにおけるプロトコルスタックについて説明する。
【００３７】
図３に示すように、対象移動局ＵＥと無線基地局ｅＮＢとの間では、物理レイヤプロトコルとＭＡＣプロトコルとＲＬＣプロトコルとＰＤＣＰとＲＲＣプロトコルとＬ-ＭＤＴプロトコルとが終端するように構成されている。
【００３８】
また、無線基地局ｅＮＢと運用保守サーバＯＡＭとの間では、ＮＷ  ＴＮＬプロトコルとＯＡＭプロトコルとが終端するように構成されている。
【００３９】
ここで、移動局ＵＥは、物理レイヤプロトコルを処理する機能と、ＭＡＣプロトコルを処理する機能と、ＲＬＣプロトコルを処理する機能と、ＰＤＣＰを処理する機能と、ＲＲＣプロトコルを処理する機能と、Ｌ-ＭＤＴプロトコルを処理する機能とを具備している。
【００４０】
無線基地局ｅＮＢは、移動局ＵＥ側に、物理レイヤプロトコルを処理する機能と、ＭＡＣプロトコルを処理する機能と、ＲＬＣプロトコルを処理する機能と、ＰＤＣＰを処理する機能と、ＲＲＣプロトコルを処理する機能と、Ｌ-ＭＤＴプロトコルを処理する機能とを具備している。
【００４１】
また、無線基地局ｅＮＢは、運用保守サーバＯＡＭ側に、ＮＷ  ＴＮＬプロトコルを処理する機能と、ＯＡＭプロトコルを処理する機能とを具備している。
【００４２】
運用保守サーバＯＡＭは、ＮＷ  ＴＮＬプロトコルを処理する機能と、ＯＡＭプロトコルを処理する機能とを具備している。
【００４３】
なお、無線基地局ｅＮＢにおいて、ＲＲＣプロトコル及びＬ-ＭＤＴプロトコルとＯＡＭプロトコルとが変換されるように構成されている。
【００４４】
また、対象移動局ＵＥ及び無線基地局ｅＮＢにおけるＬ-ＭＤＴプロトコルを処理する機能は、「Ｌｏｇｇｅｄ  ＭＤＴ」を行うように指示されている対象移動局ＵＥが、ＲＲＣ_Ｉｄｌｅ状態に遷移した場合であっても、対象移動局ＵＥにおいて適用されている「ＭＤＴ  ｐｏｌｉｃｙ」を含む「ＵＥ  Ｃｏｎｔｅｘｔ」を削除しないように構成されている。
【００４５】
ここで、無線基地局ｅＮＢにおけるＬ-ＭＤＴプロトコルを処理する機能は、「Ｌｏｇｇｅｄ  ＭＤＴ」を行うように指示されている対象移動局ＵＥが、ＲＲＣ＿Ｉｄｌｅ状態に遷移した後、かかる対象移動局ＵＥに適用されている「ＭＤＴ  ｐｏｌｉｃｙ」を含む「ＵＥ  Ｃｏｎｔｅｘｔ」を削除してしまっている場合であっても、ＲＲＣ＿Ｃｏｎｎｅｃｔｅｄ状態の対象移動局ＵＥから報告された「Ｌｏｇｇｅｄ  ＭＤＴ」に係る測定報告を正しく処理することができるように構成されてもよい。
【００４６】
具体的に、移動局ＵＥにおけるＬ-ＭＤＴプロトコルを処理する機能は、「Ｌｏｇｇｅｄ  ＭＤＴ」に係る測定報告に、「ＭＤＴ  Ｐｏｌｉｃｙ」で指定されている測定すべき項目（Ｍｅａｓｕｒｅｍｅｎｔ  Ｏｂｊｅｃｔ）や報告すべき項目（Ｒｅｐｏｒｔｉｎｇ  Ｃｏｎｆｉｇｕｒａｔｉｏｎ）等を全て含めて送信するように構成されている。
【００４７】
本実施形態に係る移動通信システムによれば、対象移動局ＵＥと無線基地局ｅＮＢとの間に新しく規定されたＬ-ＭＤＴプロトコルによって、対象移動局ＵＥがＩｎｔｅｒ-ＲＡＴハンドオーバを行う場合であっても「ＭＤＴ」を継続して行うことができる。
【００４８】
（本発明の第３の実施形態に係る移動通信システム）
図４を参照して、本発明の第３の実施形態に係る移動通信システムの構成について説明する。以下、本実施形態に係る移動通信システムについて、上述の第１の実施形態に係る移動通信システムとの相違点に着目して説明する。
【００４９】
図４を参照して、本実施形態に係る移動通信システムにおけるプロトコルスタックについて説明する。
【００５０】
図４に示すように、対象移動局ＵＥと無線基地局ｅＮＢとの間では、物理レイヤプロトコルとＭＡＣプロトコルとＲＬＣプロトコルとＰＤＣＰとＲＲＣプロトコルとが終端するように構成されている。
【００５１】
また、無線基地局ｅＮＢと運用保守サーバＯＡＭとの間では、ＮＷ  ＴＮＬプロトコルとＯＡＭプロトコルとが終端するように構成されている。
【００５２】
さらに、対象移動局ＵＥと運用保守サーバＯＡＭとの間では、Ｌ-ＭＤＴプロトコルが終端するように構成されている。
【００５３】
ここで、移動局ＵＥは、物理レイヤプロトコルを処理する機能と、ＭＡＣプロトコルを処理する機能と、ＲＬＣプロトコルを処理する機能と、ＰＤＣＰを処理する機能と、ＲＲＣプロトコルを処理する機能と、Ｌ-ＭＤＴプロトコルを処理する機能とを具備している。
【００５４】
無線基地局ｅＮＢは、移動局ＵＥ側に、物理レイヤプロトコルを処理する機能と、ＭＡＣプロトコルを処理する機能と、ＲＬＣプロトコルを処理する機能と、ＰＤＣＰを処理する機能と、ＲＲＣプロトコルを処理する機能とを具備している。
【００５５】
また、無線基地局ｅＮＢは、運用保守サーバＯＡＭ側に、ＮＷ  ＴＮＬプロトコルを処理する機能と、ＯＡＭプロトコルを処理する機能とを具備している。
【００５６】
運用保守サーバＯＡＭは、ＮＷ  ＴＮＬプロトコルを処理する機能と、ＯＡＭプロトコルを処理する機能と、Ｌ-ＭＤＴプロトコルを処理する機能とを具備している。
【００５７】
なお、無線基地局ｅＮＢにおいて、ＲＲＣプロトコル及びＬ-ＭＤＴプロトコルとＯＡＭプロトコルとが変換されるように構成されている。
【００５８】
また、対象移動局ＵＥ及び運用保守サーバＯＡＭにおけるＬ-ＭＤＴプロトコルを処理する機能は、「Ｌｏｇｇｅｄ  ＭＤＴ」を行うように指示されている対象移動局ＵＥが、ＲＲＣ_Ｉｄｌｅ状態に遷移した場合であっても、対象移動局ＵＥにおいて適用されている「ＭＤＴ  ｐｏｌｉｃｙ」を含む「ＵＥ  Ｃｏｎｔｅｘｔ」を削除しないように構成されている。
【００５９】
本実施形態に係る移動通信システムによれば、対象移動局ＵＥと運用保守サーバＯＡＭとの間に新しく規定されたＬ-ＭＤＴプロトコルによって、対象移動局ＵＥが、ＲＲＣ_Ｉｄｌｅ状態になった場合に、対象移動局ＵＥにおいてだけでなく、運用保守サーバＯＡＭにおいても、「ＵＥ  Ｃｏｎｔｅｘｔ」を保存することができる。
【００６０】
（本発明の第４の実施形態に係る移動通信システム）
図５を参照して、本発明の第４の実施形態に係る移動通信システムの構成について説明する。以下、本実施形態に係る移動通信システムについて、上述の第１の実施形態に係る移動通信システムとの相違点に着目して説明する。
【００６１】
図５を参照して、本実施形態に係る移動通信システムにおけるプロトコルスタックについて説明する。
【００６２】
図５に示すように、対象移動局ＵＥと無線基地局ｅＮＢとの間では、物理レイヤプロトコルとＭＡＣプロトコルとＲＬＣプロトコルとＰＤＣＰとＲＲＣプロトコルとが終端するように構成されている。
【００６３】
また、無線基地局ｅＮＢと交換局ＭＭＥとの間では、ＮＷ  Ｌ１/Ｌ２プロトコルとＩＰ（Ｉｎｔｅｒｎｅｔ  Ｐｒｏｔｏｃｏｌ）とＳＣＴＰ（Ｓｔｒｅａｍ  Ｃｏｎｔｒｏｌ  Ｔｒａｎｓｍｉｓｓｉｏｎ  Ｐｒｏｔｏｃｏｌ）とＳ１-ＡＰ（Ｓ１-Ａｐｐｌｉｃａｔｉｏｎ）プロトコルとが終端するように構成されている。
【００６４】
さらに、交換局ＭＭＥと運用保守サーバＯＡＭとの間では、ＮＷ  ＴＮＬプロトコルとＯＡＭプロトコルとが終端するように構成されている。
【００６５】
ここで、移動局ＵＥは、物理レイヤプロトコルを処理する機能と、ＭＡＣプロトコルを処理する機能と、ＲＬＣプロトコルを処理する機能と、ＰＤＣＰを処理する機能と、ＲＲＣプロトコルを処理する機能とを具備している。
【００６６】
無線基地局ｅＮＢは、移動局ＵＥ側に、物理レイヤプロトコルを処理する機能と、ＭＡＣプロトコルを処理する機能と、ＲＬＣプロトコルを処理する機能と、ＰＤＣＰを処理する機能と、ＲＲＣプロトコルを処理する機能とを具備している。
【００６７】
また、無線基地局ｅＮＢは、交換局ＭＭＥ側に、ＮＷ  Ｌ１/Ｌ２プロトコルを処理する機能と、ＩＰを処理する機能と、ＳＣＴＰを処理する機能と、Ｓ１-ＡＰプロトコルを処理する機能とを具備している。
【００６８】
交換局ＭＭＥは、無線基地局ｅＮＢ側に、ＮＷ  Ｌ１/Ｌ２プロトコルを処理する機能と、ＩＰを処理する機能と、ＳＣＴＰを処理する機能と、Ｓ１-ＡＰプロトコルを処理する機能とを具備している。
【００６９】
また、交換局ＭＭＥは、運用保守サーバＯＡＭ側に、ＮＷ  ＴＮＬプロトコルを処理する機能と、ＯＡＭプロトコルを処理する機能とを具備している。
【００７０】
運用保守サーバＯＡＭは、ＮＷ  ＴＮＬプロトコルを処理する機能と、ＯＡＭプロトコルを処理する機能とを具備している。
【００７１】
なお、無線基地局ｅＮＢにおいて、ＲＲＣプロトコルとＳ１-ＡＰプロトコルとが変換されるように構成されている。
【００７２】
また、交換局ＭＭＥにおいて、Ｓ１-ＡＰプロトコルとＯＡＭプロトコルとが変換されるように構成されている。
【００７３】
また、対象移動局ＵＥ及び無線基地局ｅＮＢにおけるＲＲＣプロトコルを処理する機能は、「Ｌｏｇｇｅｄ  ＭＤＴ」を行うように指示されている対象移動局ＵＥが、ＲＲＣ_Ｉｄｌｅ状態に遷移した場合であっても、対象移動局ＵＥにおいて適用されている「ＭＤＴ  ｐｏｌｉｃｙ」を含む「ＵＥ  Ｃｏｎｔｅｘｔ」を削除しないように構成されている。
【００７４】
ここで、無線基地局ｅＮＢにおけるＲＲＣプロトコルを処理する機能は、「Ｌｏｇｇｅｄ  ＭＤＴ」を行うように指示されている対象移動局ＵＥが、ＲＲＣ＿Ｉｄｌｅ状態に遷移した後、かかる対象移動局ＵＥに適用されている「ＭＤＴ  ｐｏｌｉｃｙ」を含む「ＵＥ  Ｃｏｎｔｅｘｔ」を削除してしまっている場合であっても、ＲＲＣ＿Ｃｏｎｎｅｃｔｅｄ状態の対象移動局ＵＥから報告された「Ｌｏｇｇｅｄ  ＭＤＴ」に係る測定報告を正しく処理することができるように構成されてもよい。
【００７５】
具体的に、移動局ＵＥにおけるＲＲＣプロトコルを処理する機能は、「Ｌｏｇｇｅｄ  ＭＤＴ」に係る測定報告に、「ＭＤＴ  Ｐｏｌｉｃｙ」で指定されている測定すべき項目（Ｍｅａｓｕｒｅｍｅｎｔ  Ｏｂｊｅｃｔ）や報告すべき項目（Ｒｅｐｏｒｔｉｎｇ  Ｃｏｎｆｉｇｕｒａｔｉｏｎ）等を全て含めて送信するように構成されている。
【００７６】
本実施形態に係る移動通信システムによれば、対象移動局ＵＥと無線基地局ｅＮＢとの間に新しいプロトコルを規定することなく「ＭＤＴ」を実現することができる。
【００７７】
（本発明の第５の実施形態に係る移動通信システム）
図６を参照して、本発明の第５の実施形態に係る移動通信システムの構成について説明する。以下、本実施形態に係る移動通信システムについて、上述の第１の実施形態に係る移動通信システムとの相違点に着目して説明する。
【００７８】
図６を参照して、本実施形態に係る移動通信システムにおけるプロトコルスタックについて説明する。
【００７９】
図６に示すように、対象移動局ＵＥと無線基地局ｅＮＢとの間では、物理レイヤプロトコルとＭＡＣプロトコルとＲＬＣプロトコルとＰＤＣＰとＲＲＣプロトコルとＬ-ＭＤＴプロトコルが終端するように構成されている。
【００８０】
また、無線基地局ｅＮＢと交換局ＭＭＥとの間では、ＮＷ  Ｌ１/Ｌ２プロトコルとＩＰとＳＣＴＰとＳ１-ＡＰプロトコルとが終端するように構成されている。
【００８１】
さらに、交換局ＭＭＥと運用保守サーバＯＡＭとの間では、ＮＷ  ＴＮＬプロトコルとＯＡＭプロトコルとが終端するように構成されている。
【００８２】
ここで、移動局ＵＥは、物理レイヤプロトコルを処理する機能と、ＭＡＣプロトコルを処理する機能と、ＲＬＣプロトコルを処理する機能と、ＰＤＣＰを処理する機能と、ＲＲＣプロトコルを処理する機能と、Ｌ-ＭＤＴプロトコルを処理する機能とを具備している。
【００８３】
無線基地局ｅＮＢは、移動局ＵＥ側に、物理レイヤプロトコルを処理する機能と、ＭＡＣプロトコルを処理する機能と、ＲＬＣプロトコルを処理する機能と、ＰＤＣＰを処理する機能と、ＲＲＣプロトコルを処理する機能と、Ｌ-ＭＤＴプロトコルを処理する機能とを具備している。
【００８４】
また、無線基地局ｅＮＢは、交換局ＭＭＥ側に、ＮＷ  Ｌ１/Ｌ２プロトコルを処理する機能と、ＩＰを処理する機能と、ＳＣＴＰを処理する機能と、Ｓ１-ＡＰプロトコルを処理する機能とを具備している。
【００８５】
交換局ＭＭＥは、無線基地局ｅＮＢ側に、ＮＷ  Ｌ１/Ｌ２プロトコルを処理する機能と、ＩＰを処理する機能と、ＳＣＴＰを処理する機能と、Ｓ１-ＡＰプロトコルを処理する機能とを具備している。
【００８６】
また、交換局ＭＭＥは、運用保守サーバＯＡＭ側に、ＮＷ  ＴＮＬプロトコルを処理する機能と、ＯＡＭプロトコルを処理する機能とを具備している。
【００８７】
運用保守サーバＯＡＭは、ＮＷ  ＴＮＬプロトコルを処理する機能と、ＯＡＭプロトコルを処理する機能とを具備している。
【００８８】
なお、無線基地局ｅＮＢにおいて、ＲＲＣプロトコル及びＬ-ＭＤＴプロトコルとＳ１-ＡＰプロトコルとが変換されるように構成されている。
【００８９】
また、交換局ＭＭＥにおいて、Ｓ１-ＡＰプロトコルとＯＡＭプロトコルとが変換されるように構成されている。
【００９０】
また、対象移動局ＵＥ及び無線基地局ｅＮＢにおけるＬ-ＭＤＴプロトコルを処理する機能は、「Ｌｏｇｇｅｄ  ＭＤＴ」を行うように指示されている対象移動局ＵＥが、ＲＲＣ_Ｉｄｌｅ状態に遷移した場合であっても、対象移動局ＵＥにおいて適用されている「ＭＤＴ  ｐｏｌｉｃｙ」を含む「ＵＥ  Ｃｏｎｔｅｘｔ」を削除しないように構成されている。
【００９１】
ここで、無線基地局ｅＮＢにおけるＬ-ＭＤＴプロトコルを処理する機能は、「Ｌｏｇｇｅｄ  ＭＤＴ」を行うように指示されている対象移動局ＵＥが、ＲＲＣ＿Ｉｄｌｅ状態に遷移した後、かかる対象移動局ＵＥに適用されている「ＭＤＴ  ｐｏｌｉｃｙ」を含む「ＵＥ  Ｃｏｎｔｅｘｔ」を削除してしまっている場合であっても、ＲＲＣ＿Ｃｏｎｎｅｃｔｅｄ状態の対象移動局ＵＥから報告された「Ｌｏｇｇｅｄ  ＭＤＴ」に係る測定報告を正しく処理することができるように構成されてもよい。
【００９２】
具体的に、移動局ＵＥにおけるＬ-ＭＤＴプロトコルを処理する機能は、「Ｌｏｇｇｅｄ  ＭＤＴ」に係る測定報告に、「ＭＤＴ  Ｐｏｌｉｃｙ」で指定されている測定すべき項目（Ｍｅａｓｕｒｅｍｅｎｔ  Ｏｂｊｅｃｔ）や報告すべき項目（Ｒｅｐｏｒｔｉｎｇ  Ｃｏｎｆｉｇｕｒａｔｉｏｎ）等を全て含めて送信するように構成されている。
【００９３】
本実施形態に係る移動通信システムによれば、対象移動局ＵＥと無線基地局ｅＮＢとの間に新しく規定されたＬ-ＭＤＴプロトコルによって、対象移動局ＵＥがＩｎｔｅｒ-ＲＡＴハンドオーバを行う場合であっても「ＭＤＴ」を継続して行うことができる。
【００９４】
（本発明の第６の実施形態に係る移動通信システム）
図７を参照して、本発明の第６の実施形態に係る移動通信システムの構成について説明する。以下、本実施形態に係る移動通信システムについて、上述の第１の実施形態に係る移動通信システムとの相違点に着目して説明する。
【００９５】
図７を参照して、本実施形態に係る移動通信システムにおけるプロトコルスタックについて説明する。
【００９６】
図７に示すように、対象移動局ＵＥと無線基地局ｅＮＢとの間では、物理レイヤプロトコルとＭＡＣプロトコルとＲＬＣプロトコルとＰＤＣＰとＲＲＣプロトコルとが終端するように構成されている。
【００９７】
また、無線基地局ｅＮＢと運用保守サーバＯＡＭとの間では、ＮＷ  ＴＮＬプロトコルとＯＡＭプロトコルとが終端するように構成されている。
【００９８】
また、無線基地局ｅＮＢと交換局ＭＭＥとの間では、ＮＷ  Ｌ１/Ｌ２プロトコルとＩＰとＳＣＴＰとＳ１-ＡＰプロトコルとが終端するように構成されている。
【００９９】
また、交換局ＭＭＥと運用保守サーバＯＡＭとの間では、ＮＷ  ＴＮＬプロトコルとＯＡＭプロトコルとが終端するように構成されている。
【０１００】
さらに、対象移動局ＵＥと運用保守サーバＯＡＭとの間では、Ｌ-ＭＤＴプロトコルが終端するように構成されている。
【０１０１】
ここで、移動局ＵＥは、物理レイヤプロトコルを処理する機能と、ＭＡＣプロトコルを処理する機能と、ＲＬＣプロトコルを処理する機能と、ＰＤＣＰを処理する機能と、ＲＲＣプロトコルを処理する機能と、Ｌ-ＭＤＴプロトコルを処理する機能とを具備している。
【０１０２】
無線基地局ｅＮＢは、移動局ＵＥ側に、物理レイヤプロトコルを処理する機能と、ＭＡＣプロトコルを処理する機能と、ＲＬＣプロトコルを処理する機能と、ＰＤＣＰを処理する機能と、ＲＲＣプロトコルを処理する機能とを具備している。
【０１０３】
また、無線基地局ｅＮＢは、交換局ＭＭＥ側に、ＮＷ  Ｌ１/Ｌ２プロトコルを処理する機能と、ＩＰを処理する機能と、ＳＣＴＰを処理する機能と、Ｓ１-ＡＰプロトコルを処理する機能とを具備している。
【０１０４】
交換局ＭＭＥは、無線基地局ｅＮＢ側に、ＮＷ  Ｌ１/Ｌ２プロトコルを処理する機能と、ＩＰを処理する機能と、ＳＣＴＰを処理する機能と、Ｓ１-ＡＰプロトコルを処理する機能とを具備している。
【０１０５】
また、交換局ＭＭＥは、運用保守サーバＯＡＭ側に、ＮＷ  ＴＮＬプロトコルを処理する機能と、ＯＡＭプロトコルを処理する機能とを具備している。
【０１０６】
運用保守サーバＯＡＭは、ＮＷ  ＴＮＬプロトコルを処理する機能と、ＯＡＭプロトコルを処理する機能と、Ｌ-ＭＤＴプロトコルを処理する機能とを具備している。
【０１０７】
なお、無線基地局ｅＮＢにおいて、ＲＲＣプロトコルＳ１-ＡＰプロトコルとが変換されるように構成されている。
【０１０８】
また、交換局ＭＭＥにおいて、Ｓ１-ＡＰプロトコルとＯＡＭプロトコルとが変換されるように構成されている。
【０１０９】
また、対象移動局ＵＥ及び運用保守サーバＯＡＭにおけるＬ-ＭＤＴプロトコルを処理する機能は、「Ｌｏｇｇｅｄ  ＭＤＴ」を行うように指示されている対象移動局ＵＥが、ＲＲＣ_Ｉｄｌｅ状態に遷移した場合であっても、対象移動局ＵＥにおいて適用されている「ＭＤＴ  ｐｏｌｉｃｙ」を含む「ＵＥ  Ｃｏｎｔｅｘｔ」を削除しないように構成されている。
【０１１０】
ここで、本実施形態に係る移動通信システムでは、Ｌ-ＭＤＴプロトコルは、Ｃ-ｐｌａｎｅ用プロトコル上ではなく、Ｃ-ｐｌａｎｅ用プロトコル上に設けられていてもよい。
【０１１１】
本実施形態に係る移動通信システムによれば、対象移動局ＵＥと運用保守サーバＯＡＭとの間に新しく規定されたＬ-ＭＤＴプロトコルによって、対象移動局ＵＥが、ＲＲＣ_Ｉｄｌｅ状態になった場合に、対象移動局ＵＥにおいてだけでなく、運用保守サーバＯＡＭにおいても、「ＵＥ  Ｃｏｎｔｅｘｔ」を保存することができる。
【０１１２】
以上に述べた実施形態の特徴は、以下のように表現されていてもよい。
【０１１３】
本実施形態の第１の特徴は、無線基地局ｅＮＢと運用保守サーバＯＡＭとを具備しており、対象移動局ＵＥに所望無線品質を測定させて報告させることができるように構成されている移動通信システムであって、対象移動局ＵＥと無線基地局ｅＮＢとの間で終端するＲＲＣプロトコルが用いられており、無線基地局ｅＮＢと運用保守サーバＯＡＭとの間で終端するＯＡＭプロトコル（運用保守プロトコル）が用いられており、無線基地局ｅＮＢにおいて、ＲＲＣプロトコルとＯＡＭプロトコルとが変換されるように構成されており、対象移動局ＵＥ及び無線基地局ｅＮＢにおけるＲＲＣプロトコルを処理する機能は、対象移動局ＵＥが、ＲＲＣ_Ｉｄｌｅ状態に遷移した場合であっても、対象移動局ＵＥにおいて適用されている「ＭＤＴ  ｐｏｌｉｃｙ（所望無線品質の測定及び報告方法）」を含む「ＵＥ  Ｃｏｎｔｅｘｔ」を削除しないように構成されていることを要旨とする。
【０１１４】
本実施形態の第１の特徴において、対象移動局ＵＥにおけるＲＲＣプロトコルを処理する機能は、「ＭＤＴ  ｐｏｌｉｃｙ」によって指定されている項目（「Ｍｅａｓｕｒｅｍｅｎｔ  Ｏｂｊｅｃｔ」や「Ｒｅｐｏｒｔｉｎｇ  Ｃｏｎｆｉｇｕｒａｔｉｏｎ」等）と所望無線品質の測定結果とを関連付ける「Ｌｏｇｇｅｄ  ＭＤＴ」に係る測定報告を送信するように構成されており、無線基地局ｅＮＢにおけるＲＲＣプロトコルを処理する機能は、対象移動局ＵＥの「ＵＥ  Ｃｏｎｔｅｘｔ（コンテキスト情報）」を削除してしまっている場合であっても、かかる関連付けに基づいて、かかる測定報告を処理するように構成されていてもよい。
【０１１５】
本実施形態の第２の特徴は、無線基地局ｅＮＢと運用保守サーバＯＡＭとを具備しており、対象移動局ＵＥに所望無線品質を測定させて報告させることができるように構成されている移動通信システムであって、対象移動局ＵＥと無線基地局ｅＮＢとの間で終端するＲＲＣプロトコルが用いられており、ＲＲＣプロトコルの上位レイヤプロトコルとして、対象移動局ＵＥと無線基地局ｅＮＢとの間で終端するＬ-ＭＤＴプロトコル（測定報告プロトコル）が用いられており、無線基地局ｅＮＢと運用保守サーバＯＡＭとの間で終端するＯＡＭプロトコルが用いられており、無線基地局ｅＮＢにおいて、ＲＲＣプロトコル及びＬ-ＭＤＴプロトコルとＯＡＭプロトコルとが変換されるように構成されており、対象移動局ＵＥ及び無線基地局ｅＮＢにおけるＬ-ＭＤＴプロトコルを処理する機能は、対象移動局ＵＥが、ＲＲＣ_Ｉｄｌｅ状態に遷移した場合であっても、対象移動局ＵＥにおいて適用されている「ＭＤＴ  ｐｏｌｉｃｙ」を含む「ＵＥ  Ｃｏｎｔｅｘｔ」を削除しないように構成されていることを要旨とする。
【０１１６】
本実施形態の第２の特徴において、対象移動局ＵＥにおけるＬ-ＭＤＴプロトコルを処理する機能は、「ＭＤＴ  ｐｏｌｉｃｙ」によって指定されている項目（「Ｍｅａｓｕｒｅｍｅｎｔ  Ｏｂｊｅｃｔ」や「Ｒｅｐｏｒｔｉｎｇ  Ｃｏｎｆｉｇｕｒａｔｉｏｎ」等）と所望無線品質の測定結果とを関連付ける「Ｌｏｇｇｅｄ  ＭＤＴ」に係る測定報告を送信するように構成されており、無線基地局ｅＮＢにおけるＬ-ＭＤＴプロトコルを処理する機能は、対象移動局ＵＥの「ＵＥ  Ｃｏｎｔｅｘｔ（コンテキスト情報）」を削除してしまっている場合であっても、かかる関連付けに基づいて、かかる測定報告を処理するように構成されていてもよい。
【０１１７】
本実施形態の第３の特徴は、無線基地局ｅＮＢと運用保守サーバＯＡＭとを具備しており、対象移動局ＵＥに所望無線品質を測定させて報告させることができるように構成されている移動通信システムであって、対象移動局ＵＥと無線基地局ｅＮＢとの間で終端するＲＲＣプロトコルが用いられており、無線基地局ｅＮＢと運用保守サーバＯＡＭとの間で終端するＯＡＭプロトコルが用いられており、ＲＲＣプロトコル及びＯＡＭプロトコルの上位レイヤプロトコルとして、対象移動局ＵＥと運用保守サーバＯＡＭとの間で終端するＬ-ＭＤＴプロトコルが用いられており、無線基地局ｅＮＢにおいて、ＲＲＣプロトコルとＯＡＭプロトコルとが変換されるように構成されており、対象移動局ＵＥ及び運用保守サーバＯＡＭにおけるＬ-ＭＤＴプロトコルを処理する機能は、対象移動局ＵＥが、ＲＲＣ_Ｉｄｌｅ状態に遷移した場合であっても、対象移動局ＵＥにおいて適用されている「ＭＤＴ  ｐｏｌｉｃｙ」を含む「ＵＥ  Ｃｏｎｔｅｘｔ」を削除しないように構成されていることを要旨とする。
【０１１８】
本実施形態の第４の特徴は、無線基地局ｅＮＢと交換局ＭＭＥと運用保守サーバＯＡＭとを具備しており、対象移動局ＵＥに所望無線品質を測定させて報告させることができるように構成されている移動通信システムであって、対象移動局ＵＥと無線基地局ｅＮＢとの間で終端するＲＲＣプロトコルが用いられており、無線基地局ｅＮＢと交換局ＭＭＥとの間で終端するＳ１-ＡＰプロトコル（Ｓ１インターフェイスプロトコル）が用いられており、交換局ＭＭＥと運用保守サーバＯＡＭとの間で終端するＯＡＭプロトコルが用いられており、無線基地局ｅＮＢにおいて、ＲＲＣプロトコルとＳ１-ＡＰプロトコルとが変換されるように構成されており、交換局ＭＭＥにおいて、Ｓ１-ＡＰプロトコルとＯＡＭプロトコルが変換されるように構成されており、対象移動局ＵＥ及び無線基地局ｅＮＢにおけるＲＲＣプロトコルを処理する機能は、対象移動局ＵＥが、ＲＲＣ_Ｉｄｌｅ状態に遷移した場合であっても、対象移動局ＵＥにおいて適用されている「ＭＤＴ  ｐｏｌｉｃｙ」を含む「ＵＥ  Ｃｏｎｔｅｘｔ」を削除しないように構成されていることを要旨とする。
【０１１９】
本実施形態の第４の特徴において、対象移動局ＵＥにおけるＲＲＣプロトコルを処理する機能は、「ＭＤＴ  ｐｏｌｉｃｙ」によって指定されている項目（「Ｍｅａｓｕｒｅｍｅｎｔ  Ｏｂｊｅｃｔ」や「Ｒｅｐｏｒｔｉｎｇ  Ｃｏｎｆｉｇｕｒａｔｉｏｎ」等）と所望無線品質の測定結果とを関連付ける「Ｌｏｇｇｅｄ  ＭＤＴ」に係る測定報告を送信するように構成されており、無線基地局ｅＮＢにおけるＲＲＣプロトコルを処理する機能は、対象移動局ＵＥの「ＵＥ  Ｃｏｎｔｅｘｔ（コンテキスト情報）」を削除してしまっている場合であっても、かかる関連付けに基づいて、かかる測定報告を処理するように構成されていてもよい。
【０１２０】
本実施形態の第５の特徴は、無線基地局ｅＮＢと交換局ＭＭＥと運用保守サーバＯＡＭとを具備しており、対象移動局ＵＥに所望無線品質を測定させて報告させることができるように構成されている移動通信システムであって、対象移動局ＵＥと無線基地局ｅＮＢとの間で終端するＲＲＣプロトコルが用いられており、ＲＲＣプロトコルの上位レイヤプロトコルとして、対象移動局ＵＥと無線基地局ｅＮＢとの間で終端するＬ-ＭＤＴプロトコルが用いられており、無線基地局ｅＮＢと交換局ＭＭＥとの間で終端するＳ１-ＡＰプロトコルが用いられており、交換局ＭＭＥと運用保守サーバＯＡＭとの間で終端するＯＡＭプロトコルが用いられており、無線基地局ｅＮＢにおいて、ＲＲＣプロトコル及びＬ-ＭＤＴプロトコルとＳ１-ＡＰプロトコルとが変換されるように構成されており、交換局ＭＭＥにおいて、Ｓ１-ＡＰプロトコルとＯＡＭプロトコルとが変換されるように構成されており、対象移動局ＵＥ及び無線基地局ｅＮＢにおけるＬ-ＭＤＴプロトコルを処理する機能は、対象移動局ＵＥが、ＲＲＣ_Ｉｄｌｅ状態に遷移した場合であっても、対象移動局ＵＥにおいて適用されている「ＭＤＴ  ｐｏｌｉｃｙ」を含む「ＵＥ  Ｃｏｎｔｅｘｔ」を削除しないように構成されていることを要旨とする。
【０１２１】
本実施形態の第５の特徴において、対象移動局ＵＥにおけるＬ-ＭＤＴプロトコルを処理する機能は、「ＭＤＴ  ｐｏｌｉｃｙ」によって指定されている項目（「Ｍｅａｓｕｒｅｍｅｎｔ  Ｏｂｊｅｃｔ」や「Ｒｅｐｏｒｔｉｎｇ  Ｃｏｎｆｉｇｕｒａｔｉｏｎ」等）と所望無線品質の測定結果とを関連付ける「Ｌｏｇｇｅｄ  ＭＤＴ」に係る測定報告を送信するように構成されており、無線基地局ｅＮＢにおけるＬ-ＭＤＴプロトコルを処理する機能は、対象移動局ＵＥの「ＵＥ  Ｃｏｎｔｅｘｔ（コンテキスト情報）」を削除してしまっている場合であっても、かかる関連付けに基づいて、かかる測定報告を処理するように構成されていてもよい。
【０１２２】
本実施形態の第６の特徴は、無線基地局ｅＮＢと交換局ＭＭＥと運用保守サーバＯＡＭとを具備しており、対象移動局ＵＥに所望無線品質を測定させて報告させることができるように構成されている移動通信システムであって、対象移動局ＵＥと無線基地局ｅＮＢとの間で終端するＲＲＣプロトコルが用いられており、無線基地局ｅＮＢと交換局ＭＭＥとの間で終端するＳ１-ＡＰプロトコルが用いられており、交換局ＭＭＥと運用保守サーバＯＡＭとの間で終端するＯＡＭプロトコルが用いられており、ＲＲＣプロトコル及びＯＡＭプロトコルの上位レイヤプロトコルとして、対象移動局ＵＥと運用保守サーバＯＡＭとの間で終端するＬ-ＭＤＴプロトコルが用いられており、無線基地局ｅＮＢにおいて、ＲＲＣプロトコルとＯＡＭプロトコルとが変換されるように構成されており、対象移動局ＵＥ及び運用保守サーバＯＡＭにおけるＬ-ＭＤＴプロトコルを処理する機能は、対象移動局ＵＥが、ＲＲＣ_Ｉｄｌｅ状態に遷移した場合であっても、対象移動局ＵＥにおいて適用されている「ＭＤＴ  ｐｏｌｉｃｙ」を含む「ＵＥ  Ｃｏｎｔｅｘｔ」を削除しないように構成されていることを要旨とする。
【０１２３】
なお、上述の移動局ＵＥや無線基地局ｅＮＢや交換局ＭＭＥや運用保守サーバＯＡＭの動作は、ハードウェアによって実施されてもよいし、プロセッサによって実行されるソフトウェアモジュールによって実施されてもよいし、両者の組み合わせによって実施されてもよい。
【０１２４】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【０１２５】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、移動局ＵＥや無線基地局ｅＮＢや交換局ＭＭＥや運用保守サーバＯＡＭ内に設けられていてもよい。また、かかる記憶媒体及びプロセッサは、ディスクリートコンポーネントとして移動局ＵＥや無線基地局ｅＮＢや交換局ＭＭＥや運用保守サーバＯＡＭ内に設けられていてもよい。
【０１２６】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。従って、本明細書の記載は、例示説明を目的とするものであり、本発明に対して何ら制限的な意味を有するものではない。
【符号の説明】
【０１２７】
ＵＥ…移動局
ＯＡＭ…運用保守サーバ
ＭＭＥ…交換局
ｅＮＢ…無線基地局
【図１】
0005457919.tif 000002
【図２】
0005457919.tif 000003
【図３】
0005457919.tif 000004
【図４】
0005457919.tif 000005
【図５】
0005457919.tif 000006
【図６】
0005457919.tif 000007
【図７】
0005457919.tif 000008